(57)【要約】【課題】読取試験において読取ラインのずれが検出された場合に、スキュー補正をより簡便に行うことができる画像読取装置を提供する。【解決手段】読取ユニット１９は、イメージセンサ３１と、イメージセンサ３１を支持するキャリッジ３２と、イメージセンサ３１の角度を調整する角度調整機構とを備える。角度調整機構でイメージセンサ３１をキャリッジ３２に対して変位させることにより、ガイドレール２０に対するイメージセンサ３１の角度を調整する。角度調整機構は、キャリッジ３２に設けられてイメージセンサ３１を支持する第１支持体３３および第２支持体３４を含む。さらに角度調整機構は、第２支持体３４を第１支持体３３の回りに変位可能に案内するガイド構造６０と、第２支持体３４を任意の調整位置でキャリッジ３２に固定する固定部材６１とを含む。【選択図】図１
2012151568.tif 000002
【特許請求の範囲】
【請求項１】
原稿台に、原稿を読み取る読取ユニットと、該読取ユニットを副走査方向に沿って移動可能に支持するガイドレールと、該ガイドレールに沿って前記読取ユニットを移動させる駆動構造とが設けてある画像読取装置であって、
前記読取ユニットは、イメージセンサと、該イメージセンサを支持するキャリッジと、前記イメージセンサの角度を調整する角度調整機構とを備えており、
前記角度調整機構で前記イメージセンサを前記キャリッジに対して変位させることにより、前記ガイドレールに対する前記イメージセンサの角度を調整することを特徴とする画像読取装置。
【請求項２】
前記角度調整機構が、
前記キャリッジに設けられて前記イメージセンサを支持する第１支持体および第２支持体と、
前記第２支持体を前記第１支持体の回りに変位可能に案内するガイド構造と、
前記第２支持体を任意の調整位置で前記キャリッジに固定する固定部材とを含む請求項１に記載の画像読取装置。
【請求項３】
前記角度調整機構が、
前記キャリッジに設けられて前記イメージセンサを支持する第１支持体および第２支持体と、
前記第１支持体を垂直軸の回りに回転可能に支持する縦軸と、
前記第２支持体を前記縦軸の回りに変位可能に案内するガイド構造と、
前記第２支持体を任意の調整位置で前記キャリッジに固定する固定部材とを含む請求項１に記載の画像読取装置。
【請求項４】
前記第１支持体および前記第２支持体が前記イメージセンサを上下にスライド自在に支持する請求項２または３に記載の画像読取装置。
【請求項５】
前記第１支持体が、前記イメージセンサの主走査方向の一端寄りに設けられており、
前記第２支持体が、前記イメージセンサの主走査方向の他端寄りに設けてある請求項２から４のいずれかに記載の画像読取装置。
【請求項６】
前記ガイド構造と前記固定部材の操作部とが、平面視における前記イメージセンサの外郭線の外に配置してある請求項２から５のいずれかに記載の画像読取装置。
【発明の詳細な説明】
【技術分野】
【０００１】
本発明は、コピー機、スキャナ、ファクシミリなどに適用される画像読取装置に関する。本発明は、特に読取ユニットの傾きを解消するためのスキュー補正構造に関する。
【背景技術】
【０００２】
従来から画像読取装置の分野においては、読取ユニットの傾きを解消するための様々な手法が提案されている。例えば、特許文献１の画像形成装置においては、読取ユニットに設けられたロッド貫通孔に補正隙間を形成し、停止時においては、読取ユニットを副走査方向と斜めに交差する傾斜状態となるようにしている。そして、読取ユニットが副走査方向へ移動するときに、読取ユニットの全体が補正隙間に沿って移動方向と反対側に振られて、読取ユニットの全体を補正隙間に沿って変位させることにより、イメージセンサの読取ラインを基準ラインに一致させるようにしている。
【０００３】
また、画像読取装置の組立過程で読取ラインがずれるのを防ぐために、原稿台に対するガイドレールの取付角度を治具を使用して調整し、あるいは読取ユニットのガイドレールに対する取付姿勢を治具を使用して調整することが従来から広く知られている（文献不詳）。このように、組立過程でガイドレール、あるいは読取ユニットの位置調整を行えば、組立が完了した時点での読取ラインのずれをある程度は解消することができる。
【先行技術文献】
【特許文献】
【０００４】
【特許文献１】特開２００８−３２９４２号公報
【発明の概要】
【発明が解決しようとする課題】
【０００５】
特許文献１においては、副走査方向へ移動するとき、読取ユニットの全体を補正隙間に沿って敢えて変位させることにより、イメージセンサの読取ラインを基準ラインと一致させている。そのため、読取ユニットに設けたロッド貫通孔を高い精度で形成する必要がありコストが嵩む。さらに、画像読取装置の組立後の読取試験において読取ラインにずれが発生している場合には、読取ユニットを案内ロッドから分離し、ロッド貫通孔に設けたドライベアリングを調整した後、読取ユニットを組み直す必要があり、一連の調整作業に多くの手間が掛かる。
【０００６】
その点、組立過程で治具を使用してレールの取付角度を調整し、あるいは読取ユニットの取付姿勢を調整する画像読取装置では、組立が完了した時点での読取ラインのずれを殆ど解消できる。しかし、読取ラインがずれる要因は、レールの取付角度または読取ユニットの取付姿勢以外の種々の要因によって発生するものであり、読取ラインのずれを皆無にできるわけではなく、何らかの補正構造が必要であった。
【０００７】
本発明の目的は、読取試験において読取ラインのずれが検出された場合に、スキュー補正をより簡便に行うことができる画像読取装置を提供することにある。本発明の目的は、読取ユニットをガイドレール上に配置したままでスキュー補正を行うことができ、したがって、スキュー補正をより少ない手間で迅速に行える画像読取装置を提供することにある。
【課題を解決するための手段】
【０００８】
本発明は、原稿台１２に、原稿を読み取る読取ユニット１９と、読取ユニット１９を副走査方向に沿って移動可能に支持するガイドレール２０と、ガイドレール２０に沿って読取ユニット１９を移動させる駆動構造２１とが設けてある画像読取装置を対象とする。読取ユニット１９は、イメージセンサ３１と、イメージセンサ３１を支持するキャリッジ３２と、イメージセンサ３１の角度を調整する角度調整機構とを備える。角度調整機構でイメージセンサ３１をキャリッジ３２に対して変位させることにより、ガイドレール２０に対するイメージセンサ３１の角度を調整することを特徴とする。
【０００９】
図１に示すように角度調整機構が、キャリッジ３２に設けられてイメージセンサ３１を支持する第１支持体３３および第２支持体３４を含む。さらに角度調整機構が、第２支持体３４を第１支持体３３の回りに変位可能に案内するガイド構造６０と、第２支持体３４を任意の調整位置でキャリッジ３２に固定する固定部材６１とを含む。
【００１０】
角度調整機構が、キャリッジ３２に設けられてイメージセンサ３１を支持する第１支持体３３および第２支持体３４を含む。さらに角度調整機構が、図９に示すように、第１支持体３３を垂直軸の回りに回転可能に支持する縦軸７０と、第２支持体３４を縦軸７０の回りに変位可能に案内するガイド構造６０と、第２支持体３４を任意の調整位置でキャリッジ３２に固定する固定部材６１とを含む。
【００１１】
第１支持体３３および第２支持体３４がイメージセンサ３１を上下にスライド自在に支持する。
【００１２】
第１支持体３３を、イメージセンサ３１の主走査方向の一端寄りに設け、第２支持体３４を、イメージセンサ３１の主走査方向の他端寄りに設ける。
【００１３】
ガイド構造６０と固定部材６１の操作部とを、平面視におけるイメージセンサ３１の外郭線の外に配置する。
【発明の効果】
【００１４】
本発明では、角度調整機構でイメージセンサ３１をキャリッジ３２に対して変位させることにより、ガイドレール２０に対するイメージセンサ３１の角度を調整するようにした。したがって、本発明では、読取試験でイメージセンサ３１の読取ラインのずれが検出された場合に、スキュー補正を簡便に行うことができる。画像読取部５の組立後であっても、簡便に読取ラインのずれを修正できるので、スキュー補正に掛かる手間を軽減して画像読取部５の製造コストを削減できる。また、読取ユニット１９をガイドレール２０上に配置したままでも、イメージセンサ３１を変位させるだけの簡単な操作で、イメージセンサ３１の読取ラインのずれを修正できる。
【００１５】
角度調整機構は、イメージセンサ３１を支持する第１支持体３３および第２支持体３４と、第２支持体３４を第１支持体３３の回りに変位可能に案内するガイド構造６０とを含む。これによれば、イメージセンサ３１を第１支持体３３の回りに回転させるだけの簡単な操作でイメージセンサ３１の角度を調整することができ、より簡便にスキュー補正を行うことができる。
【００１６】
もしくは角度調整機構は、イメージセンサ３１を支持する第１支持体３３および第２支持体３４と、第１支持体３３を垂直軸の回りに回転可能に支持する縦軸７０と、第２支持体３４を縦軸７０の回りに変位可能に案内するガイド構造６０とを含む。これによれば、イメージセンサ３１を縦軸７０の回りに回転させるだけの簡単な操作でイメージセンサ３１の角度を調整することができ、より簡便にスキュー補正を行うことができる。
【００１７】
第１支持体３３および第２支持体３４がイメージセンサ３１を上下にスライド自在に支持する。これによれば、イメージセンサ３１をプラテンガラス１１に確実に密着させて、イメージセンサ３１の焦点距離を一定に保つことができるので、原稿の読取画像の画質を安定化できる。
【００１８】
第１支持体３３をイメージセンサ３１の主走査方向の一端寄りに設け、第２支持体３４をイメージセンサ３１の主走査方向の他端寄りに設けるので、イメージセンサ３１の角度の微調整を簡便に行える。これは、読取ラインのずれ角度が一定であるときの、ずれ修正に伴う第２支持体３４のスライド量を大きくできるからである。
【００１９】
ガイド構造６０と固定部材６１の操作部とを、平面視におけるイメージセンサ３１の外郭線の外に配置するので、ガイド構造６０と固定部材６１の操作部とに上方から直接アクセスでき、したがって、イメージセンサ３１の調整をより簡便に行える。
【図面の簡単な説明】
【００２０】
【図１】本発明に係る画像読取装置の横断平面図である。
【図２】本発明に係る画像読取装置が適用される複合機の概念図である。
【図３】本発明に係る画像読取装置の平面図である。
【図４】中央部を破断した図６のＢ−Ｂ線断面図である。
【図５】両端部を破断した図６のＢ−Ｂ線断面図である。
【図６】図１のＡ−Ａ線断面図である。
【図７】第２支持体とその周辺構造を示す分解斜視図である。
【図８】図４のＣ−Ｃ線断面図である。
【図９】別実施形態に係る図１のＡ−Ａ線断面に相当する図である。
【発明を実施するための形態】
【００２１】
（実施例）  図１から図８に、本発明に係る画像読取装置を、コピー機能とファクシミリ機能とを備えた複合機に適用した実施形態を示す。なお、本発明における前後、左右、上下とは、図１から図３に示す交差矢印と、各矢印の近傍に表記した前後、左右、上下の表示に従う。
【００２２】
図２において、複合機１は、給紙カセット２と、給紙カセット２から搬送された記録用紙に対してトナー像を転写する画像記録部３と、画像記録部３を経た記録用紙に対して加熱・加圧処理を施してトナー像を定着させる定着部４とを含む。これら画像記録部３および定着部４の上方に画像読取部（画像読取装置）５が配置されている。画像読取部５の前面には、各種操作ボタンを有する操作パネル６が設けられている。画像記録部３は、帯電ドラム７を含む感光体ユニット８と、感光体ユニット８にトナーを供給するトナーカートリッジ９などで構成される。
【００２３】
図３に示すように画像読取部５は、読取対象となる原稿を載せるプラテンガラス１１が配置された原稿台１２と、原稿をプラテンガラス１１に押し付けて密着させる原稿押えカバー１３とからなる。原稿押えカバー１３は、原稿台１２の後端部に設けられた左右一対のヒンジ１４・１４で支持されている。図４に示すように原稿台１２は、上向きに開口する四角箱状のフレーム１６と、フレーム１６の上開口を塞ぐフレームカバー１７などで箱状に形成されている。フレームカバー１７の中央には四角形の開口が形成されており、この中央開口にプラテンガラス１１が組み付けられている。
【００２４】
フレーム１６には、原稿を読み取る読取ユニット１９と、読取ユニット１９を左右方向（副走査方向）に沿って移動可能に支持する一本のガイドレール２０と、ガイドレール２０に沿って読取ユニット１９を移動させるための駆動構造２１とが設けられている。図１に示すように、ガイドレール２０は、読取ユニット１９の前後方向（主走査方向）中央よりもやや前側に配置されており、読取ユニット１９の後端部は、ガイドレール２０と平行に配置した支持レール２２で下側から支持されている。図４および図５に示すように、ガイドレール２０および支持レール２２は、フレーム１６と一体に形成されている。ガイドレール２０の上面には、読取ユニット１９を案内する台形状のガイド面が形成されている。
【００２５】
図１に示すように駆動構造２１は、モータ２４の出力軸に固定されて水平面内で回転する原動プーリ２５と、原動プーリ２５に対応して配置される従動プーリ２６と、両プーリ２５・２６に巻き掛けられるタイミングベルト２７とを含んで構成される。原動プーリ２５は、フレーム１６の右後隅部に配置されており、従動プーリ２６は、ガイドレール２０の左端部の後方に配置されている。原動プーリ２５の前方には一対の方向転換プーリ２８が配置されている。従動プーリ２６と方向転換プーリ２８の間に位置するタイミングベルト２７は、ガイドレール２０と平行に配置されており、原動プーリ２５と方向転換プーリ２８の間に位置するタイミングベルト２７は、ガイドレール２０と直交する状態で前後方向に配置されている。後述するキャリッジ３２の下面にはベルトクランプ２９が設けられている。このベルトクランプ２９は、タイミングベルト２７に連結されている。以上より、タイミングベルト２７の移動に同行して、読取ユニット１９をガイドレール２０に沿って左右方向（副走査方向）へ移動させることができる。
【００２６】
図１に示すように読取ユニット１９は、原稿を読み取る密着型のイメージセンサ（以下、単にＣＩＳと記す。）３１と、ＣＩＳ３１を支持するキャリッジ３２とで構成される。ＣＩＳ３１は、キャリッジ３２に設けた第１支持体３３と第２支持体３４で上下スライド自在に支持されており、圧縮コイル形のばね３５でプラテンガラス１１へ向かって押し上げ付勢されている。ばね３５は、ＣＩＳ３１とキャリッジ３２との間の前後２個所に配置されている。
【００２７】
図６に示すようにＣＩＳ３１は、上向きに開口する前後に長い四角箱状のハウジング３６の内部に、左右一対のキセノンランプ３７と、レンズアレイ３８と、イメージセンサ基板３９を収容して構成されている。ハウジング３６の上開口は、透明な保護カバー４０により塞がれている。ハウジング３６のキセノンランプ３７で発した光を原稿へ向かって照射し、原稿からの反射光をレンズアレイ３８を介してイメージセンサ基板３９上に結合することにより、ＣＩＳ３１は原稿画像を読み取る。ハウジング３６の上面の前後端には、スペーサ４１が突出状に形成されている。スペーサ４１は、プラテンガラス１１の下面に密着して、ＣＩＳ３１の焦点を原稿面と一致させるために設けられている。
【００２８】
キャリッジ３２は、上向きに開口する前後に長い箱状に形成されており、その下面には、先述のベルトクランプ２９と、ガイドレール２０で案内されるスライドブロック４２とが下向きに突出する状態で形成されている（図５参照）。スライドブロック４２の下面には、ガイドレール２０で受け止められるスライド面４３が逆Ｖ字状に形成されている。
【００２９】
図１に示すように、ハウジング３６の右側壁の前後には支持ブロック４５・４６が設けられており、これらの支持ブロック４５・４６の後面のそれぞれに、第１および第２スライド軸４７・５３が後ろ向きに突出する状態で設けられている。これらの第１および第２スライド軸４７・５３を、第１支持体３３と第２支持体３４により、上下方向にスライド自在に支持している。
【００３０】
図６に示すように第１支持体３３は、キャリッジ３２と一体に形成された上下方向に伸びる板状体からなり、その左右中央に、第１スライド軸４７を支持する上下方向に長い長孔状の第１ガイド孔４８が形成されている。図７および図８に示すように、第２支持体３４は、上下方向に伸びる支持壁４９と、支持壁４９の下端に形成された調整ベース５０とを一体に備える成形品である。支持壁４９の左右中央には、第２スライド軸５３を支持する上下方向に長い長孔状の第２ガイド孔５４が形成されている。調整ベース５０は左右方向に長い板体であり、ねじの挿通を許すねじ通し孔５１と、このねじ通し孔５１を挟むように設けられた、左右一対の調整孔５２・５２との、計三個の孔が上下貫通状に形成されている。ねじ通し孔５１および調整孔５２・５２は、平面視で左右方向に伸びる長孔であり、その長さ方向の側縁は、第１支持体３３の第１ガイド孔４８を通る垂直軸を中心とする部分円弧状に湾曲されている（図１参照）。
【００３１】
図１に示すように、後側の支持ブロック４６の前後中途部には、スライド溝５５が上下に貫通する状態で形成されており、このスライド溝５５をキャリッジ３２の内面に設けた位置決め片５６で支持している。位置決め片５６は、キャリッジ３２の内面から伸びる支持アーム５７と、支持アーム５７の遊端部に設けられた丸軸状の規制軸５８とからなり、規制軸５８の外周面がスライド溝５５の内面に接している。このように、上下方向のスライド溝５５を位置決め片５６で支持することにより、ハウジング３６の上下スライドを可能としながら、ハウジング３６を前後に位置決めできる。
【００３２】
本実施形態では読取ユニット１９が、ガイドレール２０に対するＣＩＳ３１の角度を調整する角度調整機構を備える。角度調整機構は、キャリッジ３２に設けられてＣＩＳ３１を支持する第１支持体３３および第２支持体３４と、第２支持体３４を第１支持体３３の回りに調整可能に案内するガイド構造６０と、ねじ体（固定部材）６１などで構成する。
【００３３】
詳しくは、第１支持体３３の第１ガイド孔４８の左右壁と第１スライド軸４７との間には若干の余裕隙間が設けられており、ＣＩＳ３１および第２支持体３４を第１支持体３３の回りに変位させることができる。図７および図８に示すようにガイド構造６０は、第２支持体３４の調整ベース５０と、同ベース５０に設けた調整孔５２と、キャリッジ３２の内底に形成した一対のガイドピン６４とで構成する。このように、調整ベース５０の調整孔５２をガイドピン６４で案内することにより、ＣＩＳ３１を第１支持体３３の回りに変位させて左右方向へ位置調整できる。さらに、ねじ通し孔５１に差し込んだねじ体６１を、キャリッジ３２のねじ穴６５にねじ込むことにより、第２支持体３４を任意の調整位置でキャリッジ３２に固定できる。
【００３４】
以上のように構成した角度調整機構は、ＣＩＳ３１を第１支持体３３の回りに回転させて位置調整することにより、ＣＩＳ３１のキャリッジ３２に対する水平方向の傾き度合を調整でき、これによりガイドレール２０に対するＣＩＳ３１の角度を調整できる。
【００３５】
画像読取部５の組立後に行う原稿の読取試験で、ＣＩＳ３１の読取ラインのずれが検出された場合は、以下の手順でＣＩＳ３１の角度を調整する。まず、プラテンガラス１１をフレームカバー１７と共にフレーム１６から取り外して、キャリッジ３２およびＣＩＳ３１の上方空間を開放する。次に、ねじ体６１を緩め、第２支持体３４を第１支持体３３の回りの左右いずれかにスライドさせて、読取ラインのずれを修正する。調整後、ねじ体６１をねじ穴６５に完全にねじ込んで、第２支持体３４をキャリッジ３２に固定する。その後、再び読取試験を行い、読取ラインのずれの有無を確認して、必要に応じて再度調整作業を行う。
【００３６】
以上のように、本実施形態においては、読取試験でＣＩＳ３１の読取ラインのずれが検出された場合に、ＣＩＳ３１をキャリッジ３２に対して第１支持体３３の回りに回転し調整することで、スキュー補正を簡便に行うことができる。画像読取部５の組立後であっても、簡便に読取ラインのずれを修正できるので、スキュー補正に掛かる手間を軽減して画像読取部５の製造コストを削減できる。また、読取ユニット１９をガイドレール２０上に配置したままでも、ＣＩＳ３１を回転させるだけの簡単な操作で、ＣＩＳ３１の読取ラインのずれを修正できる。
【００３７】
第１支持体３３をＣＩＳ３１の前端に設け、第２支持体３４をＣＩＳ３１の後端に設けるので、第２支持体３４を第１支持体３３の近傍に配置する場合に比べて、ＣＩＳ３１の角度の微調整を簡便に行える。これは、読取ラインのずれ角度が一定であるときの、ずれ修正に伴う第２支持体３４のスライド量を大きくできるからである。
【００３８】
ガイド構造６０とねじ体６１の操作頭部とを、平面視におけるＣＩＳ３１の外郭線の外、具体的にはＣＩＳ３１の後方に配置した。これによれば、ガイド構造６０とねじ体６１の操作頭部とに上方から直接アクセスできるので、ＣＩＳ３１の調整をより簡便に行える。
【００３９】
図９は、本発明に係る画像読取装置の別実施形態を示す。ここでは、第１支持体３３がキャリッジ３２と別体に形成され、第１支持体３３の下端に縦軸７０が形成されている。縦軸７０は、キャリッジ３２の内底に設けた軸穴７１で回転自在に支持され、止め輪７２で抜け止めされている。ねじ通し孔５１および調整孔５２・５２の長さ方向の側縁は、縦軸７０の中心軸線を中心とする部分円弧状に湾曲されている。第１支持体３３の第１ガイド孔４８の左右壁と第１スライド軸４７との間には、上記実施形態とは異なり余裕隙間は形成されていない。
【００４０】
この別実施形態では、ＣＩＳ３１を縦軸７０の回りに回転させて位置調整することにより、ＣＩＳ３１のキャリッジ３２に対する水平方向の傾き度合を調整でき、これによりガイドレール２０に対するＣＩＳ３１の角度を調整できる。したがって、読取試験でＣＩＳ３１の読取ラインのずれが検出された場合に、スキュー補正を簡便に行うことができる。他は上記実施形態と同じであるので、同じ部材に同じ符号を付してその説明を省略する。なおここでは、第１支持体３３に縦軸７０を設け、キャリッジ３２に軸穴７１を設けたが、これとは逆に、キャリッジ３２の内底に突出状の縦軸を設け、第１支持体３３に軸穴を設けることもできる。
【００４１】
その他、上記各実施形態において、第２支持体３４のねじ通し孔５１は長孔状に限られず、例えば正円状あるいは円弧状に形成することができる。両支持体３３・３４は上記の配置形態に限られず、例えば、ハウジング３６の前部を第２支持体３４で支持し、ハウジング３６の後部を第１支持体３３で支持することができる。さらに、両支持体３３・３４の一方をＣＩＳ３１の前後方向中央部に配置してもよい。
【００４２】
固定部材６１としては、ねじ体以外に例えばピンを用いることができる。具体的には、第２支持体３４にピンと同径の孔を１つ形成し、キャリッジ３２にはピンと同径の孔を複数個形成する。ピンを第２支持体３４の孔と、キャリッジ３２のいずれかの孔とに差し込むことにより、第２支持体３４をキャリッジ３２に固定する。ＣＩＳ３１の角度を調整するときは、ピンを一旦抜き外して第２支持体３４を変位させ、調整後に再びピンを孔に差し込んで第２支持体３４をキャリッジ３２に固定する。
【符号の説明】
【００４３】
５  画像読取装置（画像読取部）
１２  原稿台
１９  読取ユニット
２０  ガイドレール
２１  駆動構造
３１  イメージセンサ（ＣＩＳ）
３２  キャリッジ
３３  第１支持体
３４  第２支持体
６０  ガイド構造
６１  固定部材（ねじ体）
【図１】
2012151568.tif 000003
【図２】
2012151568.tif 000004
【図３】
2012151568.tif 000005
【図４】
2012151568.tif 000006
【図５】
2012151568.tif 000007
【図６】
2012151568.tif 000008
【図７】
2012151568.tif 000009
【図８】
2012151568.tif 000010
【図９】
2012151568.tif 000011